(57)【特許請求の範囲】
【請求項１】
ＵＨＤＴＶ用の映像信号のフレーム番号及び時刻を含むＵＨＤＴＶ用タイムコード信号を生成し、前記ＵＨＤＴＶ用タイムコード信号を、前記映像信号に同期したＨＤ−ＳＤＩ信号に多重し、前記ＨＤ−ＳＤＩ信号を送信するタイムコード送信装置であって、
前記映像信号のフレーム番号及び時刻を生成するタイムコード生成部と、
前記タイムコード生成部により生成された前記フレーム番号及び前記時刻を所定領域に格納し、前記ＵＨＤＴＶ用タイムコード信号を生成するタイムコード信号生成部と、
前記タイムコード信号生成部により生成された前記ＵＨＤＴＶ用タイムコード信号が前記映像信号の所定のライン番号の領域に格納されるタイミングに間に合うように、前記ＵＨＤＴＶ用タイムコード信号を、前記ＨＤ−ＳＤＩ信号の予め設定されたライン番号の領域に格納し、前記ＨＤ−ＳＤＩ信号を生成するＨＤ−ＳＤＩ信号生成部と、
を備えたことを特徴とするタイムコード送信装置。
【請求項２】
映像信号のフレーム番号及び時刻を含むタイムコード信号を生成し、前記タイムコード信号を、前記映像信号に同期したＨＤ−ＳＤＩ信号に多重し、前記ＨＤ−ＳＤＩ信号を送信するタイムコード送信装置であって、
ＵＨＤＴＶ用の映像信号のフレーム番号及び時刻を生成すると共に、ＨＤＴＶ用の映像信号のフレーム番号及び時刻を生成するタイムコード生成部と、
前記タイムコード生成部により生成された前記ＵＨＤＴＶ用のフレーム番号及び時刻を所定領域に格納し、ＵＨＤＴＶ用タイムコード信号を生成する第１のタイムコード信号生成部と、
前記タイムコード生成部により生成された前記ＨＤＴＶ用のフレーム番号及び時刻を所定領域に格納し、ＨＤＴＶ用タイムコード信号を生成する第２のタイムコード信号生成部と、
前記第１のタイムコード信号生成部により生成された前記ＵＨＤＴＶ用タイムコード信号が前記映像信号の所定のライン番号の領域に格納されるタイミングに間に合うように、前記ＵＨＤＴＶ用タイムコード信号を、前記ＨＤ−ＳＤＩ信号の予め設定された第１ライン番号の領域に格納すると共に、前記ＵＨＤＴＶ用タイムコード信号及び前記第２のタイムコード信号生成部により生成された前記ＨＤＴＶ用タイムコード信号を、前記ＨＤ−ＳＤＩ信号の予め設定された第２ライン番号の領域に格納し、前記ＨＤ−ＳＤＩ信号を生成するＨＤ−ＳＤＩ信号生成部と、
を備えたことを特徴とするタイムコード送信装置。
【請求項３】
請求項１または２に記載のタイムコード送信装置において、
前記ＨＤ−ＳＤＩ信号生成部により前記ＵＨＤＴＶ用タイムコード信号が格納される領域の予め設定されたライン番号を、前記ＵＨＤＴＶ用タイムコード信号が前記映像信号に格納されるときの前記映像信号における所定のライン番号のタイミングを基準として、当該基準のタイミングに対応するＨＤ−ＳＤＩ信号のライン番号よりも早いライン番号とする、ことを特徴とするタイムコード送信装置。
【請求項４】
ＵＨＤＴＶ用の映像信号を入力すると共に、前記映像信号に同期したＨＤ−ＳＤＩ信号を入力し、前記ＨＤ−ＳＤＩ信号に多重されたＵＨＤＴＶ用タイムコード信号を取り出し、前記ＵＨＤＴＶ用タイムコード信号を前記映像信号に多重し、前記ＵＨＤＴＶ用タイムコード信号を含む前記映像信号を送信する映像信号送信装置であって、
前記ＵＨＤＴＶ用タイムコード信号が多重された前記ＨＤ−ＳＤＩ信号を入力し、前記ＨＤ−ＳＤＩ信号の予め設定されたライン番号の領域から、前記ＵＨＤＴＶ用タイムコード信号を取り出すタイムコード信号取り出し部と、
前記映像信号の画素を所定の有効映像領域に格納すると共に、前記タイムコード信号取り出し部により取り出された前記ＵＨＤＴＶ用タイムコード信号を、前記映像信号のベーシックストリームにおける所定の補助データ領域の予め設定された多重位置のライン番号の領域に格納し、前記ＵＨＤＴＶ用タイムコード信号を含む映像信号を生成する生成部と、を備え、
前記タイムコード信号取り出し部は、
前記ＵＨＤＴＶ用タイムコード信号が前記映像信号のベーシックストリームに格納されるタイミングに間に合うように、前記ＨＤ−ＳＤＩ信号から前記ＵＨＤＴＶ用タイムコード信号を取り出す、ことを特徴とする映像信号送信装置。
【請求項５】
ＵＨＤＴＶ用タイムコード信号が多重されたＵＨＤＴＶ用の映像信号を受信し、前記映像信号から前記ＵＨＤＴＶ用タイムコード信号を取り出し、前記ＵＨＤＴＶ用タイムコード信号を、前記映像信号に同期したＨＤ−ＳＤＩ信号に多重し、前記ＨＤ−ＳＤＩ信号を送信する映像信号受信装置であって、
前記映像信号の所定のライン番号の領域から、前記ＵＨＤＴＶ用タイムコード信号を取り出すタイムコード信号取り出し部と、
前記タイムコード信号取り出し部により前記ＵＨＤＴＶ用タイムコード信号が前記映像信号から取り出されたときの前記映像信号の所定のライン番号のタイミングよりも遅くなるように、前記ＵＨＤＴＶ用タイムコード信号を、前記ＨＤ−ＳＤＩ信号の予め設定されたライン番号の領域に格納し、前記ＨＤ−ＳＤＩ信号を生成するＨＤ−ＳＤＩ信号生成部と、
を備えたことを特徴とする映像信号受信装置。
【請求項６】
請求項５に記載の映像信号受信装置において、
前記ＨＤ−ＳＤＩ信号生成部により前記ＵＨＤＴＶ用タイムコード信号が格納される領域の予め設定されたライン番号を、前記ＵＨＤＴＶ用タイムコード信号が前記映像信号から取り出されたときの前記映像信号の所定のライン番号のタイミングを基準として、当該基準のタイミングに対応するＨＤ−ＳＤＩ信号のライン番号よりも遅いライン番号とする、ことを特徴とする映像信号受信装置。
【請求項７】
ＵＨＤＴＶ用の映像信号に同期したＨＤ−ＳＤＩ信号を入力し、前記ＨＤ−ＳＤＩ信号からＵＨＤＴＶ用タイムコード信号を取り出し、前記ＵＨＤＴＶ用タイムコード信号から前記映像信号のフレーム番号及び時刻を復元するタイムコード受信装置であって、
前記ＵＨＤＴＶ用タイムコード信号が前記映像信号から取り出されたときの前記映像信号の所定のライン番号のタイミングを基準として、当該基準のタイミングに対応するＨＤ−ＳＤＩ信号のライン番号よりも遅いライン番号が、ＨＤ−ＳＤＩ信号の多重位置のライン番号として予め設定されており、
前記ＵＨＤＴＶ用タイムコード信号が多重された前記ＨＤ−ＳＤＩ信号を入力し、前記ＨＤ−ＳＤＩ信号の前記予め設定されたライン番号の領域から、前記ＵＨＤＴＶ用タイムコード信号を取り出すタイムコード信号取り出し部と、
前記タイムコード信号取り出し部により取り出された前記ＵＨＤＴＶ用タイムコード信号の所定領域から前記フレーム番号及び前記時刻を抽出し、前記映像信号に同期した前記フレーム番号及び前記時刻を復元するタイムコード復元部と、
を備えたことを特徴とするタイムコード受信装置。
【発明の詳細な説明】
【技術分野】
【０００１】
本発明は、放送システムまたは映像システムに用いるタイムコードを伝送するタイムコード送信装置、タイムコード受信装置、映像信号送信装置及び映像信号受信装置に関する。
【背景技術】
【０００２】
従来、ハイビジョン（登録商標）の高精細度ＴＶ（ＨＤＴＶ）方式による放送が行われている。このハイビジョン放送では、フレーム周波数３０Ｈｚまたは２５Ｈｚ、フィールド周波数６０Ｈｚまたは５０Ｈｚの動画像の映像信号が用いられる。この高精細映像のフレーム番号を管理するためには、映像信号のフレームの時間情報を符号化したタイムコード信号が用いられる。タイムコード信号の仕様は、所定の規格により定められている（非特許文献１〜３を参照）。
【０００３】
図１７は、非特許文献２（ＳＭＰＴＥ  ＳＴ１２−２）の規格に記載されたタイムコード信号を説明する図である。図１７（１）は、ＡＤＦ（補助データフラグ）を除くタイムコード信号の構造を示す図であり、図１７（２）は、タイムコード信号を示す図である。
【０００４】
図１７（２）に示すように、このタイムコード信号は、３ワード長のＡＤＦ（補助データフラグ）、１ワード長のＤＩＤ（データ識別ワード）、１ワード長のＳＤＩＤ（第２データ識別ワード）、１ワード長のＤＣ（データカウントワード）、１６ワード長のＵＤＷ（ユーザデータワード）及び１ワード長のＣＳ（チェックサム）により構成される。
【０００５】
ＡＤＦ領域には、タイムコード信号の先頭を示す固定のデータ（２６０ｈ）が格納される。ＤＩＤ領域には、タイムコード信号を示す識別情報（２６０ｈ、図１７（１）を参照）が格納される。
【０００６】
ＳＤＩＤ領域には、タイムコード信号の種類を示す識別子が格納される。非特許文献２（ＳＭＰＴＥ  ＳＴ１２−２）の規格に記載されたタイムコード信号の場合は、識別子として２６０ｈ（図１７（１）を参照）が格納され、後述する非特許文献３（ＳＭＰＴＥ  ＳＴ１２−３）の規格に記載されたタイムコード信号の場合は、識別子として１６１ｈが格納される。このＳＤＩＤ領域に格納された識別子に基づいて、タイムコード信号の種類が認識される。
【０００７】
ＤＣ領域には、固定のデータカウント（１１０ｈ）が格納される。ＵＤＷの領域には、ＤＢＢ１、ＤＢＢ２、ＵＤＷペイロード（タイムコードデータ）及びパリティ等の各データが格納され、このうちのＵＤＷペイロードには、映像信号のフレーム番号及び時刻であるタイムコード等が格納される。図１７（１）に示した各データにＡＤＦが付加されることで、図１７（２）に示したタイムコード信号が生成される。
【０００８】
図１８は、非特許文献２（ＳＭＰＴＥ  ＳＴ１２−２）の規格に記載されたＵＤＷペイロードのビット割り当てを示す図である。ＵＤＷペイロードは、図１７（１）に示したように、タイムコード信号を構成するＵＤＷ領域（１〜１６番目（ワード目）のＵＤＷの領域、ＵＤＷ１〜１６）のうち、４ビット目〜７ビット目（ｂ４〜ｂ７）の領域に割り当てられている。ＵＤＷペイロードのＵＤＷ１のｂ４〜ｂ７及びＵＤＷ３のｂ４，ｂ５には、０〜２９のフレーム番号が格納される。
【０００９】
図１８に示すように、ＵＤＷペイロードのビット割り当てによれば、ＵＤＷ１のｂ４〜ｂ７及びＵＤＷ３のｂ４，ｂ５にて、０から２９までの３０個のフレーム番号を表すことができる。つまり、このＵＤＷペイロードのビット割り当ては、３０個のフレームに対応し、フレーム周波数３０Ｈｚまでの映像信号に適用することができる。
【００１０】
そこで、タイムコード信号を６０個のフレームに対応させ、フレーム周波数６０Ｈｚまでの映像信号に適用させるために、非特許文献２（ＳＭＰＴＥ  ＳＴ１２−２）の規格では、タイムコード信号を構成するＤＢＢ１及びＵＤＷペイロードのフラグ（フィールドマークフラグ）も追加して用いることが規定されている（非特許文献２の７．２項を参照）。ＵＤＷペイロードのフラグ（フィールドマークフラグ）は、ＵＤＷ７のｂ７に格納される。
【００１１】
これにより、タイムコード信号は、０から５９までの６０個のフレーム番号を表すことができ、６０個のフレームに対応することができる。つまり、図１７に示したタイムコード信号は、フレーム周波数６０Ｈｚの高精細映像の映像信号に適用することができる。
【００１２】
ところで、近年、ハイビジョンの高精細映像を上回る解像度を持つ超高精細度ＴＶ（ＵＨＤＴＶ）方式による超高精細映像システムの研究開発が進められている。この超高精細映像システムでは、フレーム周波数が最大１２０Ｈｚまで規定されている（非特許文献４を参照）。
【００１３】
この超高精細映像のフレーム番号（０〜１９９）に対応するタイムコード信号の仕様は、所定の規格により定められている（非特許文献５を参照）。この非特許文献５（ＳＭＰＴＥ  ＳＴ１２−３）の規格によるタイムコード信号の形式は、フレーム周波数６０Ｈｚを超える映像信号に適用することができ、図１７及び図１８に示した構造及び割り当てと基本的に同じである。
【００１４】
タイムコード信号を１２０個のフレームに対応させ、フレーム周波数１２０Ｈｚまでの映像信号に適用させるために、非特許文献５（ＳＭＰＴＥ  ＳＴ１２−３）の規格では、フレーム番号を表す領域が拡大されている。フレーム番号は、非特許文献２（ＳＭＰＴＥ  ＳＴ１２−２）の規格にて定められた領域に加え、さらにＵＤＷペイロードのフラグ（図１８を参照して、ＵＤＷ１１のｂ７等）を用いて表される。
【００１５】
フレーム周波数６０Ｈｚの映像信号に適用する非特許文献２（ＳＭＰＴＥ  ＳＴ１２−２）の規格によるタイムコード信号の形式と、フレーム周波数６０Ｈｚを超える映像信号に適用する非特許文献５（ＳＭＰＴＥ  ＳＴ１２−３）の規格によるタイムコード信号の形式とを比較すると、タイムコード信号の種類を示すＳＤＩＤ領域に格納される識別子（ＳＤＩＤ）が異なっており、両者間で互換性がない。非特許文献２（ＳＭＰＴＥ  ＳＴ１２−２）の規格によるタイムコード信号のＳＤＩＤは２６０ｈであるのに対し（図１７（１）を参照）、非特許文献５（ＳＭＰＴＥ  ＳＴ１２−３）の規格によるタイムコード信号のＳＤＩＤは１６１ｈである。
【先行技術文献】
【非特許文献】
【００１６】
【非特許文献１】ＳＭＰＴＥ  ＳＴ１２−１
【非特許文献２】ＳＭＰＴＥ  ＳＴ１２−２
【非特許文献３】ＡＲＩＢ  ＳＴＤ−Ｂ４
【非特許文献４】ＡＲＩＢ  ＳＴＤ−Ｂ５６
【非特許文献５】ＳＭＰＴＥ  ＳＴ１２−３
【発明の概要】
【発明が解決しようとする課題】
【００１７】
タイムコード信号を伝送する方式については、非特許文献２（ＳＭＰＴＥ  ＳＴ１２−２）等に規定されている。この伝送方式には、アナログ音声形式（ＬＴＣ形式）と、ＨＤ−ＳＤＩ信号の補助データ領域に多重して伝送する方式（ＡＮＣ＿ＶＩＴＣ形式）とがある。
【００１８】
ＬＴＣ形式において、タイムコード信号を伝送することが可能な１秒あたりの上限数は３０個であるため、フレーム周波数３０Ｈｚまでの映像信号に適用することができる。また、ＡＮＣ＿ＶＩＴＣ形式において、その上限数は６０個であるため、フレーム周波数６０Ｈｚまでの映像信号に適用することができる。
【００１９】
ＬＴＣ形式またはＡＮＣ＿ＶＩＴＣ形式のいずれの形式を用いたとしても、フレーム周波数６０Ｈｚを超える映像信号に適用することができない。つまり、ＬＴＣ形式またはＡＮＣ＿ＶＩＴＣ形式では、フレーム周波数６０Ｈｚを超える映像信号のタイムコード信号を伝送することができない。
【００２０】
このように、フレーム周波数６０Ｈｚを超える映像信号に適用する非特許文献５（ＳＭＰＴＥ  ＳＴ１２−３）の規格に記載されたタイムコード信号の伝送方式については、何ら規定されておらず、明らかにされていない。
【００２１】
そこで、本発明は前記課題を解決するためになされたものであり、その目的は、フレーム周波数６０Ｈｚを超える映像信号に適用するタイムコード信号を伝送可能なタイムコード送信装置、タイムコード受信装置、映像信号送信装置及び映像信号受信装置を提供することにある。
【課題を解決するための手段】
【００２２】
前記課題を解決するために、請求項１のタイムコード送信装置は、ＵＨＤＴＶ用の映像信号のフレーム番号及び時刻を含むＵＨＤＴＶ用タイムコード信号を生成し、前記ＵＨＤＴＶ用タイムコード信号を、前記映像信号に同期したＨＤ−ＳＤＩ信号に多重し、前記ＨＤ−ＳＤＩ信号を送信するタイムコード送信装置であって、前記映像信号のフレーム番号及び時刻を生成するタイムコード生成部と、前記タイムコード生成部により生成された前記フレーム番号及び前記時刻を所定領域に格納し、前記ＵＨＤＴＶ用タイムコード信号を生成するタイムコード信号生成部と、前記タイムコード信号生成部により生成された前記ＵＨＤＴＶ用タイムコード信号が前記映像信号の所定のライン番号の領域に格納されるタイミングに間に合うように、前記ＵＨＤＴＶ用タイムコード信号を、前記ＨＤ−ＳＤＩ信号の予め設定されたライン番号の領域に格納し、前記ＨＤ−ＳＤＩ信号を生成するＨＤ−ＳＤＩ信号生成部と、を備えたことを特徴とする。
【００２３】
また、請求項２のタイムコード送信装置は、映像信号のフレーム番号及び時刻を含むタイムコード信号を生成し、前記タイムコード信号を、前記映像信号に同期したＨＤ−ＳＤＩ信号に多重し、前記ＨＤ−ＳＤＩ信号を送信するタイムコード送信装置であって、ＵＨＤＴＶ用の映像信号のフレーム番号及び時刻を生成すると共に、ＨＤＴＶ用の映像信号のフレーム番号及び時刻を生成するタイムコード生成部と、前記タイムコード生成部により生成された前記ＵＨＤＴＶ用のフレーム番号及び時刻を所定領域に格納し、ＵＨＤＴＶ用タイムコード信号を生成する第１のタイムコード信号生成部と、前記タイムコード生成部により生成された前記ＨＤＴＶ用のフレーム番号及び時刻を所定領域に格納し、ＨＤＴＶ用タイムコード信号を生成する第２のタイムコード信号生成部と、前記第１のタイムコード信号生成部により生成された前記ＵＨＤＴＶ用タイムコード信号が前記映像信号の所定のライン番号の領域に格納されるタイミングに間に合うように、前記ＵＨＤＴＶ用タイムコード信号を、前記ＨＤ−ＳＤＩ信号の予め設定された第１ライン番号の領域に格納すると共に、前記ＵＨＤＴＶ用タイムコード信号及び前記第２のタイムコード信号生成部により生成された前記ＨＤＴＶ用タイムコード信号を、前記ＨＤ−ＳＤＩ信号の予め設定された第２ライン番号の領域に格納し、前記ＨＤ−ＳＤＩ信号を生成するＨＤ−ＳＤＩ信号生成部と、を備えたことを特徴とする。
【００２４】
また、請求項３のタイムコード送信装置は、請求項１または２に記載のタイムコード送信装置において、前記ＨＤ−ＳＤＩ信号生成部により前記ＵＨＤＴＶ用タイムコード信号が格納される領域の予め設定されたライン番号を、前記ＵＨＤＴＶ用タイムコード信号が前記映像信号に格納されるときの前記映像信号における所定のライン番号のタイミングを基準として、当該基準のタイミングに対応するＨＤ−ＳＤＩ信号のライン番号よりも早いライン番号とする、ことを特徴とする。
【００２５】
さらに、請求項４の映像信号送信装置は、ＵＨＤＴＶ用の映像信号を入力すると共に、前記映像信号に同期したＨＤ−ＳＤＩ信号を入力し、前記ＨＤ−ＳＤＩ信号に多重されたＵＨＤＴＶ用タイムコード信号を取り出し、前記ＵＨＤＴＶ用タイムコード信号を前記映像信号に多重し、前記ＵＨＤＴＶ用タイムコード信号を含む前記映像信号を送信する映像信号送信装置であって、前記ＵＨＤＴＶ用タイムコード信号が多重された前記ＨＤ−ＳＤＩ信号を入力し、前記ＨＤ−ＳＤＩ信号の予め設定されたライン番号の領域から、前記ＵＨＤＴＶ用タイムコード信号を取り出すタイムコード信号取り出し部と、前記映像信号の画素を所定の有効映像領域に格納すると共に、前記タイムコード信号取り出し部により取り出された前記ＵＨＤＴＶ用タイムコード信号を、前記映像信号のベーシックストリームにおける所定の補助データ領域の予め設定された多重位置のライン番号の領域に格納し、前記ＵＨＤＴＶ用タイムコード信号を含む映像信号を生成する生成部と、を備え、前記タイムコード信号取り出し部が、前記ＵＨＤＴＶ用タイムコード信号が前記映像信号のベーシックストリームに格納されるタイミングに間に合うように、前記ＨＤ−ＳＤＩ信号から前記ＵＨＤＴＶ用タイムコード信号を取り出す、ことを特徴とする。
【００２６】
さらに、請求項５の映像信号受信装置は、ＵＨＤＴＶ用タイムコード信号が多重されたＵＨＤＴＶ用の映像信号を受信し、前記映像信号から前記ＵＨＤＴＶ用タイムコード信号を取り出し、前記ＵＨＤＴＶ用タイムコード信号を、前記映像信号に同期したＨＤ−ＳＤＩ信号に多重し、前記ＨＤ−ＳＤＩ信号を送信する映像信号受信装置であって、前記映像信号の所定のライン番号の領域から、前記ＵＨＤＴＶ用タイムコード信号を取り出すタイムコード信号取り出し部と、前記タイムコード信号取り出し部により前記ＵＨＤＴＶ用タイムコード信号が前記映像信号から取り出されたときの前記映像信号の所定のライン番号のタイミングよりも遅くなるように、前記ＵＨＤＴＶ用タイムコード信号を、前記ＨＤ−ＳＤＩ信号の予め設定されたライン番号の領域に格納し、前記ＨＤ−ＳＤＩ信号を生成するＨＤ−ＳＤＩ信号生成部と、を備えたことを特徴とする。
【００２７】
また、請求項６の映像信号受信装置は、請求項５に記載の映像信号受信装置において、前記ＨＤ−ＳＤＩ信号生成部により前記ＵＨＤＴＶ用タイムコード信号が格納される領域の予め設定されたライン番号を、前記ＵＨＤＴＶ用タイムコード信号が前記映像信号から取り出されたときの前記映像信号の所定のライン番号のタイミングを基準として、当該基準のタイミングに対応するＨＤ−ＳＤＩ信号のライン番号よりも遅いライン番号とする、ことを特徴とする。
【００２８】
さらに、請求項７のタイムコード受信装置は、ＵＨＤＴＶ用の映像信号に同期したＨＤ−ＳＤＩ信号を入力し、前記ＨＤ−ＳＤＩ信号からＵＨＤＴＶ用タイムコード信号を取り出し、前記ＵＨＤＴＶ用タイムコード信号から前記映像信号のフレーム番号及び時刻を復元するタイムコード受信装置であって、前記ＵＨＤＴＶ用タイムコード信号が前記映像信号から取り出されたときの前記映像信号の所定のライン番号のタイミングを基準として、当該基準のタイミングに対応するＨＤ−ＳＤＩ信号のライン番号よりも遅いライン番号が、ＨＤ−ＳＤＩ信号の多重位置のライン番号として予め設定されており、前記ＵＨＤＴＶ用タイムコード信号が多重された前記ＨＤ−ＳＤＩ信号を入力し、前記ＨＤ−ＳＤＩ信号の前記予め設定されたライン番号の領域から、前記ＵＨＤＴＶ用タイムコード信号を取り出すタイムコード信号取り出し部と、前記タイムコード信号取り出し部により取り出された前記ＵＨＤＴＶ用タイムコード信号の所定領域から前記フレーム番号及び前記時刻を抽出し、前記映像信号に同期した前記フレーム番号及び前記時刻を復元するタイムコード復元部と、を備えたことを特徴とする。
【発明の効果】
【００２９】
以上のように、本発明によれば、フレーム周波数６０Ｈｚを超える映像信号に適用するタイムコード信号を伝送することができる。
【図面の簡単な説明】
【００３０】
【図１】本発明の実施形態によるタイムコード送信装置、映像信号送信装置、映像信号受信装置及びタイムコード受信装置を含む映像信号送受信システムの全体構成例を示す概略図である。
【図２】タイムコード送信装置の構成例を示すブロック図である。
【図３】映像信号送信装置の構成例を示すブロック図である。
【図４】映像信号受信装置の構成例を示すブロック図である。
【図５】タイムコード受信装置の構成例を示すブロック図である。
【図６】タイムコード送信装置の他の構成例を示すブロック図である。
【図７】タイムコード送信装置及びタイムコード受信装置を含むタイムコード送受信システムの全体構成例を示す概略図である。
【図８】ＨＤ−ＳＤＩ信号及び映像信号（ベーシックストリーム）におけるライン番号の時間の対応関係を説明する図である。
【図９】タイムコード送信装置において、ＨＤ−ＳＤＩ信号に多重されるタイムコード信号の位置の一例を示す図である。
【図１０】映像信号送信装置において、映像信号（ベーシックストリーム）に多重されるタイムコード信号の位置の一例を示す図である。
【図１１】映像信号受信装置において、ＨＤ−ＳＤＩ信号に多重されるタイムコード信号の位置の一例を示す図である。
【図１２】フレーム周波数６０Ｈｚ，１２０Ｈｚの映像信号に対応するタイムコード信号の関係を説明する図である。
【図１３】タイムコード送信装置において、ＨＤ−ＳＤＩ信号に多重される２種類のタイムコード信号の位置の一例を示す図である。
【図１４】タイムコード送信装置において、ＨＤ−ＳＤＩ信号に多重される２種類のタイムコード信号の位置の他の例を示す図である。
【図１５】映像信号（ベーシックストリーム）のフレーム構造を示す図である。
【図１６】ＨＤ−ＳＤＩ信号のフレーム構造を示す図である。
【図１７】非特許文献２（ＳＭＰＴＥ  ＳＴ１２−２）の規格に記載されたタイムコード信号を説明する図である。
【図１８】非特許文献２（ＳＭＰＴＥ  ＳＴ１２−２）の規格に記載されたＵＤＷペイロードのビット割り当てを示す図である。
【発明を実施するための形態】
【００３１】
以下、本発明を実施するための形態について図面を用いて詳細に説明する。
〔映像信号送受信システム〕
まず、タイムコード信号を含む映像信号を送受信する映像信号送受信システムについて説明する。図１は、本発明の実施形態によるタイムコード送信装置、映像信号送信装置、映像信号受信装置及びタイムコード受信装置を含む映像信号送受信システムの全体構成例を示す概略図である。この映像信号送受信システムは、タイムコード送信装置１、映像信号送信装置２、映像信号受信装置３及びタイムコード受信装置４を備えて構成される。
【００３２】
タイムコード送信装置１は、フレーム周波数６０Ｈｚを超える映像信号に同期したタイムコード（フレーム番号及び時刻）を生成し、タイムコードを含むタイムコード信号を生成する。そして、タイムコード送信装置１は、タイムコード信号を、ＨＤ−ＳＤＩ信号内の所定のライン番号の領域に格納し、ＨＤ−ＳＤＩ信号を生成する。タイムコード送信装置１は、フレーム周波数６０Ｈｚを超える映像信号に同期し、かつタイムコード信号が多重されたＨＤ−ＳＤＩ信号を映像信号送信装置２へ送信する。
【００３３】
フレーム周波数６０Ｈｚを超える映像信号とＨＤ−ＳＤＩ信号とが同期しているとは、当該映像信号の所定数のフレームと、時間長が１／３０秒であるＨＤ−ＳＤＩ信号の１フレームとの間で、時間のタイミングが一致していることを意味する。
【００３４】
タイムコード送信装置１が送信するＨＤ−ＳＤＩ信号において、タイムコード信号が格納される所定のライン番号は、タイムコード信号の多重位置を示し、予め設定されている。ＨＤ−ＳＤＩ信号の所定のライン番号は、後の処理にてタイムコード信号が映像信号（ベーシックストリーム）に格納されるときの映像信号のライン番号（格納先のライン番号）のタイミングを基準として、そのタイミングに対応する位置（番号）よりも早い番号である。つまり、タイムコード信号は、当該タイムコード信号が映像信号における所定のライン番号の領域に格納される処理に間に合うように、ＨＤ−ＳＤＩ信号における所定のライン番号の領域に格納される。詳細については後述する。
【００３５】
例えば、ＨＤ−ＳＤＩ信号の所定のライン番号は、後述する図９に示すように、２，２８３，５６４，８４５である。また、この場合、後述する映像信号送信装置２において、ＵＨＤＴＶ用の映像信号（ベーシックストリーム）に対しタイムコード信号が格納される所定のライン番号は、後述する図１０に示すように、それぞれ９である。
【００３６】
ＨＤ−ＳＤＩ信号の所定のライン番号２，２８３，５６４，８４５は、後の処理にてタイムコード信号が映像信号に格納されるときの映像信号のライン番号９のタイミングを基準として、そのタイミングに対応する位置（ライン番号２．２５，２８３．５，５６４．７，８４６）よりも早い番号である。詳細については後述する。
【００３７】
映像信号送信装置２は、フレーム周波数６０Ｈｚを超える映像信号を入力すると共に、タイムコード送信装置１から、タイムコード信号が多重され映像信号に同期したＨＤ−ＳＤＩ信号を入力する。そして、映像信号送信装置２は、ＨＤ−ＳＤＩ信号における所定のライン番号の領域からタイムコード信号を取り出し、タイムコード信号を映像信号（ベーシックストリーム）における所定のライン番号の領域に格納し、１０Ｇリンク信号を生成する。映像信号送信装置２は、１０Ｇリンク信号を映像信号受信装置３へ送信する。これにより、タイムコード信号が多重された映像信号が生成され、映像信号送信装置２へ送信される。
【００３８】
映像信号受信装置３は、映像信号送信装置２から１０Ｇリンク信号を受信し、１０Ｇリンク信号から元の映像信号を復元し、フレーム周波数６０Ｈｚを超える映像信号として出力する。また、映像信号受信装置３は、映像信号（ベーシックストリーム）における所定のライン番号の領域からタイムコード信号を取り出し、タイムコード信号をＨＤ−ＳＤＩ信号における所定のライン番号の領域に格納する。そして、映像信号受信装置３は、タイムコード信号が多重されたＨＤ−ＳＤＩ信号をタイムコード受信装置４へ送信する。
【００３９】
映像信号受信装置３が送信するＨＤ−ＳＤＩ信号において、タイムコード信号が格納される所定のライン番号は、タイムコード信号の多重位置を示し、予め設定されている。ＨＤ−ＳＤＩ信号の所定のライン番号は、以前の処理にてタイムコード信号が映像信号（ベーシックストリーム）に格納された（から取り出された）ときの映像信号のライン番号（格納元のライン番号）のタイミングを基準として、そのタイミングに対応する位置（番号）よりも遅い番号である。つまり、タイムコード信号は、当該タイムコード信号が映像信号における所定のライン番号の領域から取り出される処理よりも遅くなるように、ＨＤ−ＳＤＩ信号における所定のライン番号の領域に格納される。詳細については後述する。
【００４０】
例えば、タイムコード信号が格納されている映像信号の所定のライン番号は、後述する図１０及び図１１に示すように、それぞれ９である。また、この場合のタイムコード信号が格納されるＨＤ−ＳＤＩ信号の所定のライン番号は、後述する図１１に示すように、９，２９０，５７１，８５２である。
【００４１】
ＨＤ−ＳＤＩ信号における所定のライン番号９，２９０，５７１，８５２は、以前の処理にてタイムコード信号が映像信号に格納された（から取り出された）ときの映像信号のライン番号９のタイミングを基準として、そのタイミングに対応する位置（ライン番号２．２５，２８３．５，５６４．７，８４５）よりも遅い番号である。詳細については後述する。
【００４２】
タイムコード受信装置４は、映像信号受信装置３からタイムコード信号が多重されたＨＤ−ＳＤＩ信号を入力し、ＨＤ−ＳＤＩ信号における所定のライン番号の領域からタイムコード信号を取り出す。そして、タイムコード受信装置４は、タイムコード信号からタイムコード（フレーム番号及び時刻）を復元する。これにより、フレーム周波数６０Ｈｚを超える映像信号に同期したタイムコード（フレーム番号及び時刻）が復元される。
【００４３】
〔ＨＤ−ＳＤＩ信号及び映像信号（ベーシックストリーム）のライン番号の対応関係〕
次に、ＨＤ−ＳＤＩ信号のライン番号と映像信号（ベーシックストリーム）のライン番号との間の対応関係について説明する。
【００４４】
図１５は、映像信号（ベーシックストリーム）のフレーム構造を示す図である。このベーシックストリームのフレームは、ＥＡＶ、ＬＮ、ＣＲＣＣ、補助データ、ＳＡＶ、有効映像領域（ベーシックイメージ）等により構成され、１〜１１２５のライン番号及び０〜２１９９のサンプル番号の領域からなる。
【００４５】
ベーシックストリームのフレームは、ベーシックストリームのラインを複数（１１２５ライン（ライン番号１〜１１２５））組み合わせることにより構成される。映像信号は、ベーシックイメージから取り出された画素のラインデータとして、有効映像領域に格納される。
【００４６】
タイムコード信号は、有効映像領域よりも早いライン番号１〜４１及び補助データが格納される領域（補助データ領域）であるサンプル番号１９２８〜２１９５のいずれかの領域に格納される。ＡＲＩＢ規格（ＡＲＩＢ  ＳＴＤ−Ｂ５８，Ｂ６８）では、タイムコード信号をライン番号９の領域に格納するように推奨している。
【００４７】
映像信号のフレーム周波数が１２０Ｈｚの場合、ベーシックストリームの１フレームの時間長は１／１２０秒である。時間長が１／３０秒であるＨＤ−ＳＤＩ信号の１フレームに対し、ベーシックストリームは４フレームが対応する。
【００４８】
尚、ＥＡＶ等の制御データは既知であるから、ここでは説明を省略する。ベーシックストリームのフレーム構造の詳細については、ＡＲＩＢ規格（ＡＲＩＢ  ＳＴＤ−Ｂ５８）を参照されたい。また、図１５に示した映像信号のフレーム構造が用いられる４Ｋ／８Ｋの映像信号のフォーマットは、ＡＲＩＢ規格（ＡＲＩＢ  ＳＴＤ−Ｂ５８，Ｂ６８）にて定められており、最大のフレーム周波数は１２０Ｈｚである。
【００４９】
図１６は、ＨＤ−ＳＤＩ信号のフレーム構造を示す図である。このＨＤ−ＳＤＩ信号のフレームは、ＥＡＶ、ＬＮ、ＣＲＣＣ、補助データ、ＳＡＶ等により構成され、１〜１１２５のライン番号及び０〜２１９９のサンプル番号の領域からなる。ＨＤ−ＳＤＩ信号の１フレームの時間長は１／３０秒である。
【００５０】
ＨＤ−ＳＤＩ信号は、フレーム周波数３０Ｈｚに対応した信号であり、フレーム周波数６０Ｈｚの映像信号の２フレームを、ライン番号４１〜５５７，６０３〜１１２０の有効映像領域に格納する構造となっている。サンプル番号１９２８〜２１９５の領域には、補助データ領域が付加されている。
【００５１】
タイムコード信号は、補助データが格納される領域（補助データ領域）であるサンプル番号１９２８〜２１９５のいずれかの領域に格納される。非特許文献２（ＳＭＰＴＥ  ＳＴ１２−２）の規格では、タイムコード信号をＡＮＣ＿ＶＩＴＣ形式としてライン番号９，５７１の領域に格納するように推奨している。
【００５２】
尚、ＥＡＶ等の制御データは既知であるから、ここでは説明を省略する。ＨＤ−ＳＤＩ信号のフレーム構造の詳細については、ＡＲＩＢ規格（ＢＴＡ  Ｓ−００５）を参照されたい。
【００５３】
図８は、ＨＤ−ＳＤＩ信号及び映像信号（ベーシックストリーム）におけるライン番号の時間の対応関係を説明する図である。図８の右側に示すフレーム周波数１２０Ｈｚの映像信号のフレームにおいて、タイムコード信号は、映像信号の各フレームのライン番号９に格納されるものとし、これを基準とする。タイムコード信号の多重位置をライン番号９とすることは、ＡＲＩＢ規格（ＡＲＩＢ  ＳＴＤ−Ｂ５８，Ｂ６８）にて推奨されている。また、映像信号とＨＤ−ＳＤＩ信号とが同期し、ベーシックストリームの４フレームのタイミングと、ＨＤ−ＳＤＩ信号の１フレームのタイミングとが一致しているものとする。
【００５４】
タイムコード信号が格納される映像信号のライン番号９を基準とすると、各フレームのライン番号９に対応するＨＤ−ＳＤＩ信号のライン番号は、それぞれ２．２５，２８３．５，５６４．７，８４６である。つまり、映像信号の４フレームについて、時間軸上で、最初のフレームのライン番号１から４番目のフレームのライン番号１１２５までライン番号毎に順番に処理及び伝送され、これに対応するＨＤ−ＳＤＩ信号の１フレームについて、時間軸上で、ライン番号１からライン番号１１２５までライン番号毎に順番に処理及び伝送されるものとする。この場合、映像信号の各フレームのライン番号９のタイミングと、ＨＤ−ＳＤＩ信号のライン番号２．２５，２８３．５，５６４．７，８４６のタイミングは同じである。
【００５５】
また、映像信号の各フレームのライン番号４２（有効映像領域の最初のライン番号４２）に対応するＨＤ−ＳＤＩ信号のライン番号は、それぞれ１０．５，２９４，５７５．２，８５６．５である。また、図８には示してないが、映像信号の各フレームの先頭のライン番号１に対応するＨＤ−ＳＤＩ信号のライン番号は、それぞれ１，２８１．５，５６２．７，８４４である。
【００５６】
図１に示したタイムコード送信装置１において、タイムコード信号は、映像信号に格納されるライン番号９のタイミングを基準として、そのタイミングに対応するＨＤ−ＳＤＩ信号のライン番号２．２５，２８３．５，５６４．７，８４６よりも早いライン番号であって、かつ映像信号の各フレームの先頭のライン番号１に対応するＨＤ−ＳＤＩ信号のライン番号１，２８１．５，５６２．７，８４４よりも遅いライン番号の領域（図８のα０，α１，α２，α３の領域）に格納される。後述する図９の例では、タイムコード信号は、ＨＤ−ＳＤＩ信号のライン番号２，２８３，５６４，８４５の領域に格納される。
【００５７】
図１に示した映像信号受信装置３において、後述する図１１に示すように、タイムコード信号は、映像信号に格納されるライン番号９のタイミングを基準として、そのタイミングに対応するＨＤ−ＳＤＩ信号のライン番号２．２５，２８３．５，５６４．７，８４６よりも遅いライン番号であって、かつ映像信号の有効映像領域の先頭のライン番号４２に対応するＨＤ−ＳＤＩ信号のライン番号１０．５，２９４，５７５．２，８５６．５よりも早いライン番号の領域（図８のβ０，β１，β２，β３の領域）に格納される。後述する図１１の例では、タイムコード信号は、ＨＤ−ＳＤＩ信号のライン番号９，２９０，５７１，８５２の領域に格納される。
【００５８】
したがって、図１に示した映像信号送受信システムにて用いるＨＤ−ＳＤＩ信号の１フレームにおいて、タイムコード信号が格納される位置は８箇所である。ＨＤ−ＳＤＩ信号の補助データ領域のうち８箇所のライン番号の領域が、タイムコード信号の多重位置として使用される。
【００５９】
以下の実施形態では、映像信号のフレーム周波数を１２０Ｈｚとして説明する。つまり、タイムコード送信装置１は、映像信号のフレーム周波数１２０Ｈｚに同期したタイムコード信号を生成し、タイムコード信号をＨＤ−ＳＤＩ信号に多重する。映像信号送信装置２は、フレーム周波数１２０Ｈｚの映像信号にタイムコード信号を多重して送信し、映像信号受信装置３は、当該映像信号からタイムコード信号を取り出してＨＤ−ＳＤＩ信号に多重する。タイムコード受信装置４は、ＨＤ−ＳＤＩ信号からタイムコード信号を取り出し、フレーム周波数１２０Ｈｚの映像信号に同期したタイムコードを復元する。
【００６０】
〔タイムコード送信装置１〕
次に、図１に示したタイムコード送信装置１について詳細に説明する。図２は、タイムコード送信装置１の構成例を示すブロック図である。このタイムコード送信装置１は、タイムコード生成部１０、タイムコード信号生成部１１、ＨＤ−ＳＤＩ信号生成部１２、表示形式変換部１３及び表示部１４を備えている。
【００６１】
タイムコード生成部１０は、当該タイムコード送信装置１の内部時計を用いて、図１に示した映像信号送信装置２が入力する映像信号に同期した時刻（時、分及び秒）を生成すると共に、映像信号のフレーム番号を生成する。そして、タイムコード生成部１０は、フレーム番号及び時刻を含む時間情報のタイムコードを生成する。タイムコード生成部１０は、タイムコードをタイムコード信号生成部１１及び表示形式変換部１３に出力する。
【００６２】
映像信号のフレーム周波数が１２０Ｈｚの場合、映像信号送信装置２は、１秒毎に１２０枚のフレームの映像信号を入力する。このため、タイムコード生成部１０は、フレーム周波数１２０Ｈｚの映像信号に対応して、フレーム周波数１２０Ｈｚの映像信号に同期した時刻を生成すると共に、１秒毎に０〜１１９のフレーム番号を生成する。
【００６３】
タイムコード信号生成部１１は、タイムコード生成部１０からタイムコードを入力し、タイムコードからフレーム番号及び時刻を抽出する。そして、タイムコード信号生成部１１は、非特許文献５（ＳＭＰＴＥ  ＳＴ１２−３）の規格に従い、フレーム番号及び時刻のビットデータを所定領域に格納することで、１０ビット単位のタイムコード信号を生成する。タイムコード信号生成部１１は、タイムコード信号をＨＤ−ＳＤＩ信号生成部１２に出力する。
【００６４】
これにより、フレーム周波数１２０Ｈｚの映像信号に同期したタイムコードを含み、非特許文献５（ＳＭＰＴＥ  ＳＴ１２−３）の規格に従ったタイムコード信号が生成され出力される。
【００６５】
ＨＤ−ＳＤＩ信号生成部１２は、タイムコード信号生成部１１からタイムコード信号を入力する。そして、ＨＤ−ＳＤＩ信号生成部１２は、後述する映像信号送信装置２によりタイムコード信号が映像信号の所定のライン番号に格納されるタイミングに間に合うように、タイムコード信号を、ＨＤ−ＳＤＩ信号の補助データ領域における予め設定されたライン番号及びサンプル番号の領域に格納する。これにより、タイムコード信号がＨＤ−ＳＤＩ信号に多重される。そして、ＨＤ−ＳＤＩ信号生成部１２は、タイムコード信号が多重されたＨＤ−ＳＤＩ信号を映像信号送信装置２へ送信する。
【００６６】
予め設定されたライン番号は、タイムコード信号が映像信号に格納されるときの映像信号のライン番号９のタイミングを基準として、そのタイミングに対応するＨＤ−ＳＤＩ信号のライン番号２．２５，２８３．５，５６４．７，８４６よりも早い番号である（図８を参照）。
【００６７】
図９は、タイムコード送信装置１において、ＨＤ−ＳＤＩ信号に多重されるタイムコード信号の位置の一例を示す図である。前述のとおり、映像信号の４フレームがＨＤ−ＳＤＩ信号の１フレームに対応する。このため、ＨＤ−ＳＤＩ信号の１フレームには、４個のタイムコード信号が多重される。
【００６８】
図９に示すように、フレーム番号０のタイムコード信号は、ＨＤ−ＳＤＩ信号のライン番号２．２５よりも早いライン番号２の領域に格納される。フレーム番号１のタイムコード信号は、ＨＤ−ＳＤＩ信号のライン番号２８３．５よりも早いライン番号２８３の領域に格納される。フレーム番号２のタイムコード信号は、ＨＤ−ＳＤＩ信号のライン番号５６４．７よりも早いライン番号５６４の領域に格納される。フレーム番号３のタイムコード信号は、ＨＤ−ＳＤＩ信号のライン番号８４６よりも早いライン番号８４５の領域に格納される。
【００６９】
また、タイムコード信号は、２３ワード長のデータであり（図１７（２）を参照）、図１６に示したサンプル番号１９２８〜２１９５の補助データ領域のうち、２３ワード長のいずれかの領域に格納される。尚、図９では、タイムコード信号の格納位置を、サンプル番号１９２８（ＣＲＣＣの直後のサンプル番号）から２３ワード長としているが、補助データ領域内にタイムコード信号が格納されるのであれば、格納開始位置はどこでもよい。
【００７０】
したがって、ＨＤ−ＳＤＩ信号生成部１２がタイムコード信号を多重するＨＤ−ＳＤＩ信号の位置である予め設定されたライン番号は、２，２８３，５６４，８４５である。
【００７１】
このように、タイムコード信号がＨＤ−ＳＤＩ信号のライン番号２，２８３，５６４，８４５に格納されることで、映像信号送信装置２は、映像信号のライン番号９にタイムコード信号を格納することができる。つまり、映像信号送信装置２によるタイムコード信号の多重処理のタイミングに、間に合わせることができる。
【００７２】
図２に戻って、表示形式変換部１３は、タイムコード生成部１０からタイムコードを入力し、タイムコードからフレーム番号及び時刻を抽出し、フレーム番号及び時刻を表示データに変換し、表示データを表示部１４に出力する。
【００７３】
表示部１４は、表示形式変換部１３から表示データを入力し、表示データを表示する。これにより、フレーム番号及び時刻が画面等に表示される。
【００７４】
以上のように、本発明の実施形態のタイムコード送信装置１によれば、ＨＤ−ＳＤＩ信号生成部１２は、タイムコード信号を、ＨＤ−ＳＤＩ信号の予め設定されたライン番号（当該タイムコード信号が映像信号に格納されるライン番号９のタイミングを基準として、そのタイミングに対応するＨＤ−ＳＤＩ信号のライン番号２．２５，２８３．５，５６４．７，８４６よりも早いライン番号２，２８３，５６４，８４５）の領域に多重し、フレーム周波数１２０Ｈｚの映像信号と同期したＨＤ−ＳＤＩ信号を映像信号送信装置２へ送信する。
【００７５】
これにより、映像信号送信装置２は、フレーム周波数１２０Ｈｚの映像信号と同期したＨＤ−ＳＤＩ信号からタイムコード信号を取り出し、タイムコード信号を、映像信号のライン番号９の領域に格納することができる。
【００７６】
つまり、タイムコード送信装置１は、映像信号送信装置２によるタイムコード信号の多重処理のタイミングに間に合うように、タイムコード信号を多重したＨＤ−ＳＤＩ信号を生成して送信することができる。そして、映像信号送信装置２は、タイムコード信号を映像信号に多重するタイミングに間に合うように、タイムコード送信装置１からＨＤ−ＳＤＩ信号を受信し、タイムコード信号を取り出して映像信号のライン番号９の領域に格納することができる。したがって、フレーム周波数６０Ｈｚを超える映像信号に適用するタイムコード信号を伝送することができる。
【００７７】
また、本発明の実施形態では、タイムコード信号をＨＤ−ＳＤＩ信号に多重するようにした。タイムコード信号をアナログ音声形式にて伝送する方式（ＬＴＣ形式）では、タイムコード信号を伝送することが可能な上限数が１秒あたり３０個に限定されているが、本発明の実施形態では、上限数が３０個に限定されることがなく、フレーム周波数６０Ｈｚを超える映像信号に適用することができる。
【００７８】
従来のアナログ音声形式にて伝送する方式（ＬＴＣ形式）は、タイムコード信号の伝送可能な上限数が１秒あたり３０個であり、１つのタイムコード信号を読み取るまでに３３．３３ｍ秒を必要とする。そのため、映像信号及びタイムコード信号を受信する受信側の装置では、タイムコードを映像に合わせるために、タイムコードが連続して送信されていることを前提としてタイムコード信号を１つ分先読みしている場合がある。この場合、例えば送信側の装置が、タイムコード信号の送信を一時停止して同じタイムコードの値を送信すると、受信側の装置は、タイムコード信号を先読みすることにより、１つ先の値となったタイムコードを読み取ってしまう。その結果、映像に対して誤ったタイムコードが対応してしまう。本発明の実施形態では、タイムコード信号を先読みする必要がないから、映像に対して誤ったタイムコードが対応するという問題は生じない。
【００７９】
〔映像信号送信装置２〕
次に、図１に示した映像信号送信装置２について詳細に説明する。図３は、映像信号送信装置２の構成例を示すブロック図である。この映像信号送信装置２は、サブイメージ生成部２０、ベーシックイメージ生成部２１、タイムコード信号取り出し部２２、ベーシックストリーム生成部２３及びリンク信号生成部２４を備えている。
【００８０】
サブイメージ生成部２０は、フレーム周波数１２０Ｈｚの映像信号を入力し、映像信号を構成する色信号コンポーネント毎に、１フレームのソースイメージを分割して複数のサブイメージを生成し、サブイメージをベーシックイメージ生成部２１に出力する。
【００８１】
ベーシックイメージ生成部２１は、サブイメージ生成部２０からサブイメージを入力し、サブイメージ毎に、当該サブイメージを分割して複数のベーシックイメージを生成し、ベーシックイメージをベーシックストリーム生成部２３に出力する。
【００８２】
タイムコード信号取り出し部２２は、タイムコード送信装置１からタイムコード信号が多重されたＨＤ−ＳＤＩ信号を入力し、ＨＤ−ＳＤＩ信号の予め設定されたライン番号２，２８３，５６４，８４５の領域からタイムコード信号を取り出す。そして、タイムコード信号取り出し部２２は、１０ビット単位のタイムコード信号を１２ビット単位のタイムコード信号に変換し、変換後のタイムコード信号をベーシックストリーム生成部２３に出力する。尚、１０ビット単位のタイムコード信号を１２ビット単位のタイムコード信号に変換する処理は既知であるから、ここでは説明を省略する。
【００８３】
この場合、タイムコード信号取り出し部２２は、後述のベーシックストリーム生成部２３がタイムコード信号をベーシックストリームに格納するタイミングに間に合うように、ＨＤ−ＳＤＩ信号を入力し、ＨＤ−ＳＤＩ信号からタイムコード信号を取り出し、タイムコード信号をベーシックストリーム生成部２３に出力する。
【００８４】
ベーシックストリーム生成部２３は、タイムコード信号取り出し部２２からベーシックイメージを入力すると共に、タイムコード信号取り出し部２２からタイムコード信号を入力する。そして、ベーシックストリーム生成部２３は、ベーシックイメージから画素のラインデータを順次取り出し、取り出した画素のラインデータを、ベーシックストリームの有効映像領域に格納する。また、ベーシックストリーム生成部２３は、所定の制御データ（タイミング基準、ライン番号等）を、ベーシックストリームの所定領域に格納する。
【００８５】
ベーシックストリーム生成部２３は、入力したタイムコード信号を、ベーシックストリームの補助データ領域における予め設定されたライン番号及びサンプル番号の領域に格納する。これにより、タイムコード信号が多重されたベーシックストリームが生成される。そして、ベーシックストリーム生成部２３は、ベーシックストリームをリンク信号生成部２４に出力する。
【００８６】
予め設定されたライン番号は、図８に示したとおり、例えばＡＲＩＢ規格（ＡＲＩＢ  ＳＴＤ−Ｂ５８，Ｂ６８）にて推奨されている９である。
【００８７】
図１０は、映像信号送信装置２において、映像信号（ベーシックストリーム）に多重されるタイムコード信号の位置の一例を示す図である。前述のとおり、映像信号の４フレームがＨＤ−ＳＤＩ信号の１フレームに対応する。このため、映像信号の１フレームに、１個のタイムコード信号が多重される。つまり、ＨＤ−ＳＤＩ信号の１フレームから取り出された４個のタイムコード信号は、映像信号の４フレームに多重される。
【００８８】
図１０に示すように、ＨＤ−ＳＤＩ信号のライン番号２の領域から取り出されたタイムコード信号は、映像信号の４フレームのうち最初のフレーム（例えばフレーム番号０）のライン番号９の領域に格納される。ＨＤ−ＳＤＩ信号のライン番号２８３の領域から取り出されたタイムコード信号は、映像信号の４フレームのうち２番目のフレーム（例えばフレーム番号１）のライン番号９の領域に格納される。ＨＤ−ＳＤＩ信号のライン番号５６４の領域から取り出されたタイムコード信号は、映像信号の４フレームのうち３番目のフレーム（例えばフレーム番号２）のライン番号９の領域に格納される。ＨＤ−ＳＤＩ信号のライン番号８４５の領域から取り出されたタイムコード信号は、映像信号の４フレームのうち４番目のフレーム（例えばフレーム番号３）のライン番号９の領域に格納される。
【００８９】
また、タイムコード信号は、２３ワード長のデータであり（図１７（２）を参照）、図１５に示したサンプル番号１９２８〜２１９５の補助データ領域のうち、２３ワード長のいずれかの領域に格納される。尚、図１０では、タイムコード信号の多重位置を、サンプル番号１９２８（ＣＲＣＣの直後のサンプル番号）から２３ワード長としているが、補助データ領域内にタイムコード信号が格納されるのであれば、格納開始位置はどこでもよい。
【００９０】
図３に戻って、リンク信号生成部２４は、ベーシックストリーム生成部２３からベーシックストリームを入力し、複数のベーシックストリームに対して多重化処理等を施し、所定伝送速度の１０Ｇリンク信号を生成する。そして、リンク信号生成部２４は、１０Ｇリンク信号を映像信号受信装置３へ送信する。
【００９１】
これにより、タイムコード信号が多重された映像信号である１０Ｇリンク信号が、シリアルデータストリームとして１本のケーブルの伝送路を介して映像信号受信装置３へ送信される。
【００９２】
尚、サブイメージ生成部２０、ベーシックイメージ生成部２１、ベーシックストリーム生成部２３及びリンク信号生成部２４の処理の詳細については、映像信号のみを送受信する手法が記載されたＡＲＩＢ規格（ＡＲＩＢ  ＳＴＤ−Ｂ５８）を参照されたい。
【００９３】
以上のように、本発明の実施形態の映像信号送信装置２によれば、タイムコード信号取り出し部２２は、タイムコード送信装置１からＨＤ−ＳＤＩ信号を受信し、ＨＤ−ＳＤＩ信号の予め設定されたライン番号２，２８３，５６４，８４５の領域からタイムコード信号を取り出す。そして、ベーシックストリーム生成部２３は、タイムコード信号を、映像信号の補助データ領域における予め設定されたライン番号９の領域に多重する。リンク信号生成部２４は、タイムコード信号が多重された映像信号から１０Ｇリンク信号を生成し、映像信号受信装置３へ送信する。
【００９４】
これにより、映像信号送信装置２は、タイムコード信号を映像信号に多重するタイミングに間に合うように、タイムコード送信装置１からＨＤ−ＳＤＩ信号を受信することができ、タイムコード信号を所定の領域に多重することができる。したがって、フレーム周波数６０Ｈｚを超える映像信号に適用するタイムコード信号を伝送することができる。
【００９５】
〔映像信号受信装置３〕
次に、図１に示した映像信号受信装置３について詳細に説明する。図４は、映像信号受信装置３の構成例を示すブロック図である。この映像信号受信装置３は、ベーシックストリーム復元部３０、ベーシックイメージ復元部３１、サブイメージ復元部３２、ソースイメージ復元部３３、タイムコード信号取り出し部３４及びＨＤ−ＳＤＩ信号生成部３５を備えている。
【００９６】
ベーシックストリーム復元部３０は、映像信号送信装置２から１０Ｇリンク信号を受信し、図２に示したリンク信号生成部２４の逆の処理により、１０Ｇリンク信号に対して復号処理等を施し、ベーシックストリームを復元する。そして、ベーシックストリーム復元部３０は、ベーシックストリームをベーシックイメージ復元部３１及びタイムコード信号取り出し部３４に出力する。
【００９７】
ベーシックイメージ復元部３１は、ベーシックストリーム復元部３０からベーシックストリームを入力し、図２に示したベーシックストリーム生成部２３の逆の処理により、ベーシックイメージを復元し、ベーシックイメージをサブイメージ復元部３２に出力する。
【００９８】
サブイメージ復元部３２は、ベーシックイメージ復元部３１からベーシックイメージを入力し、図２に示したベーシックイメージ生成部２１の逆の処理により、サブイメージを復元し、サブイメージをソースイメージ復元部３３に出力する。
【００９９】
ソースイメージ復元部３３は、サブイメージ復元部３２からサブイメージを入力し、図２に示したサブイメージ生成部２０の逆の処理により、ソースイメージを復元し、元の映像信号として出力する。
【０１００】
タイムコード信号取り出し部３４は、ベーシックストリーム復元部３０からベーシックストリームを入力し、ベーシックストリームの予め設定されたライン番号９の領域からタイムコード信号を取り出す。そして、タイムコード信号取り出し部３４は、１２ビット単位のタイムコード信号を１０ビット単位のタイムコード信号に変換し、変換後のタイムコード信号をＨＤ−ＳＤＩ信号生成部３５に出力する。尚、１２ビット単位のタイムコード信号を１０ビット単位のタイムコード信号に変換する処理は既知であるから、ここでは説明を省略する。
【０１０１】
ＨＤ−ＳＤＩ信号生成部３５は、タイムコード信号取り出し部３４からタイムコード信号を入力する。そして、ＨＤ−ＳＤＩ信号生成部３５は、タイムコード信号取り出し部３４により当該タイムコード信号が映像信号から取り出されたときの（映像信号送信装置２により当該タイムコード信号が映像信号に格納されたときの）映像信号のライン番号９のタイミングよりも遅くなるように、タイムコード信号を、ＨＤ−ＳＤＩ信号の補助データ領域における予め設定されたライン番号及びサンプル番号の領域に格納する。これにより、タイムコード信号がＨＤ−ＳＤＩ信号に多重される。そして、ＨＤ−ＳＤＩ信号生成部３５は、タイムコード信号を含むＨＤ−ＳＤＩ信号をタイムコード受信装置４へ送信する。
【０１０２】
予め設定されたライン番号は、タイムコード信号が映像信号から取り出された（に格納された）ときの映像信号のライン番号９のタイミングを基準として、そのタイミングに対応するＨＤ−ＳＤＩ信号のライン番号２．２５，２８３．５，５６４．７，８４６よりも遅い番号である（図８を参照）。
【０１０３】
図１１は、映像信号受信装置３において、ＨＤ−ＳＤＩ信号に多重されるタイムコード信号の位置の一例を示す図である。前述のとおり、映像信号の４フレームがＨＤ−ＳＤＩ信号の１フレームに対応する。このため、ＨＤ−ＳＤＩ信号の１フレームには、４個のタイムコード信号が多重される。
【０１０４】
図１１に示すように、映像信号の４フレームのうち最初のフレーム（例えばフレーム番号０）のライン番号９の領域から取り出されたタイムコード信号は、ＨＤ−ＳＤＩ信号のライン番号２．２５よりも遅いライン番号９の領域に格納される。映像信号の４フレームのうち２番目のフレーム（例えばフレーム番号１）のライン番号９の領域から取り出されたタイムコード信号は、ＨＤ−ＳＤＩ信号のライン番号２８３．５よりも遅いライン番号２９０の領域に格納される。映像信号の４フレームのうち３番目のフレーム（例えばフレーム番号２）のライン番号９の領域から取り出されたタイムコード信号は、ＨＤ−ＳＤＩ信号のライン番号５６４．７よりも遅いライン番号５７１の領域に格納される。映像信号の４フレームのうち４番目のフレーム（例えばフレーム番号３）のライン番号９の領域から取り出されたタイムコード信号は、ＨＤ−ＳＤＩ信号のライン番号８４６よりも遅いライン番号８５２の領域に格納される。
【０１０５】
また、タイムコード信号は、２３ワード長のデータであり（図１７（２）を参照）、図１６に示したサンプル番号１９２８〜２１９５の補助データ領域のうち、２３ワード長のいずれかの領域に格納される。尚、図１１では、タイムコード信号の格納位置を、サンプル番号１９２８（ＣＲＣＣの直後のサンプル番号）から２３ワード長としているが、補助データ領域内にタイムコード信号が格納されるのであれば、格納開始位置はどこでもよい。
【０１０６】
したがって、ＨＤ−ＳＤＩ信号生成部３５がタイムコード信号を多重するＨＤ−ＳＤＩ信号の位置である予め設定されたライン番号は、９，２９０，５７１，８５２である。
【０１０７】
尚、ベーシックストリーム復元部３０、ベーシックイメージ復元部３１、サブイメージ復元部３２及びソースイメージ復元部３３の処理の詳細については、映像信号のみを送受信する手法が記載されたＡＲＩＢ規格（ＡＲＩＢ  ＳＴＤ−Ｂ５８）を参照されたい。
【０１０８】
以上のように、本発明の実施形態の映像信号受信装置３によれば、タイムコード信号取り出し部３４は、映像信号の予め設定されたライン番号９の領域からタイムコード信号を取り出す。そして、ＨＤ−ＳＤＩ信号生成部３５は、タイムコード信号を、ＨＤ−ＳＤＩ信号の予め設定されたライン番号（当該タイムコード信号が映像信号から取り出された（に格納された）ときのライン番号９のタイミングを基準として、そのタイミングに対応するＨＤ−ＳＤＩ信号のライン番号２．２５，２８３．５，５６４．７，８４６よりも遅いライン番号９，２９０，５７１，８５２）の領域に格納し、ＨＤ−ＳＤＩ信号をタイムコード受信装置４へ送信する。
【０１０９】
これにより、フレーム周波数１２０Ｈｚの映像信号と同期した、所定のライン番号９，２９０，５７１，８５２の領域に格納されたタイムコード信号を含むＨＤ−ＳＤＩ信号が、タイムコード受信装置４へ送信される。したがって、フレーム周波数６０Ｈｚを超える映像信号に適用するタイムコード信号を伝送することができる。
【０１１０】
〔タイムコード受信装置４〕
次に、図１に示したタイムコード受信装置４について詳細に説明する。図５は、タイムコード受信装置４の構成例を示すブロック図である。このタイムコード受信装置４は、タイムコード信号取り出し部４０、タイムコード復元部４１、表示形式変換部４２及び表示部４３を備えている。
【０１１１】
タイムコード信号取り出し部４０は、映像信号受信装置３からタイムコード信号が多重されたＨＤ−ＳＤＩ信号を受信し、ＨＤ−ＳＤＩ信号の予め設定されたライン番号９，２９０，５７１，８５２の領域からタイムコード信号を取り出す。そして、タイムコード信号取り出し部４０は、タイムコード信号をタイムコード復元部４１に出力する。
【０１１２】
タイムコード復元部４１は、タイムコード信号取り出し部４０からタイムコード信号を入力し、タイムコード信号の所定領域からフレーム番号及び時刻のビットデータを取り出す。そして、タイムコード復元部４１は、フレーム番号のビットデータからフレーム番号を生成すると共に、時刻のビットデータから時刻を生成し、フレーム番号及び時刻を含む時間情報のタイムコードを復元する。タイムコード復元部４１は、タイムコードを表示形式変換部４２等に出力する。
【０１１３】
表示形式変換部４２は、タイムコード復元部４１からタイムコードを入力し、タイムコードからフレーム番号及び時刻を抽出し、フレーム番号及び時刻を表示データに変換し、表示データを表示部４３に出力する。
【０１１４】
表示部４３は、表示形式変換部４２から表示データを入力し、表示データを表示する。これにより、フレーム番号及び時刻が画面等に表示される。
【０１１５】
以上のように、本発明の実施形態のタイムコード受信装置４によれば、タイムコード信号取り出し部４０は、ＨＤ−ＳＤＩ信号の予め設定されたライン番号９，２９０，５７１，８５２の領域からタイムコード信号を取り出す。そして、タイムコード復元部４１は、タイムコード信号からフレーム番号及び時刻を抽出し、フレーム番号及び時刻を含むタイムコードを復元する。
【０１１６】
これにより、フレーム周波数１２０Ｈｚの映像信号と同期したＨＤ−ＳＤＩ信号からタイムコード信号を取り出し、元の映像信号に対応したフレーム番号及び時刻を含むタイムコードを復元することができる。したがって、フレーム周波数６０Ｈｚを超える映像信号に適用するタイムコード信号を伝送することができる。
【０１１７】
〔タイムコード送信装置１の他の例〕
次に、図１に示したタイムコード送信装置１の他の例について詳細に説明する。図６は、タイムコード送信装置１の他の構成例を示すブロック図である。このタイムコード送信装置１’は、タイムコード生成部１５、タイムコード信号生成部１６，１７、ＨＤ−ＳＤＩ信号生成部１８、表示形式変換部１９及び表示部５０を備えている。タイムコード送信装置１’は、フレーム周波数１２０Ｈｚの映像信号に同期した非特許文献５（ＳＭＰＴＥ  ＳＴ１２−３）の規格に従ったタイムコード信号に加え、フレーム周波数６０Ｈｚの映像信号に同期した非特許文献２（ＳＭＰＴＥ  ＳＴ１２−２）の規格に従ったタイムコード信号をＨＤ−ＳＤＩ信号に多重する。
【０１１８】
以下、フレーム周波数１２０Ｈｚの映像信号に同期した非特許文献５（ＳＭＰＴＥ  ＳＴ１２−３）の規格に従ったタイムコード信号を、フレーム周波数１２０Ｈｚのタイムコード信号という。また、フレーム周波数６０Ｈｚの映像信号に同期した非特許文献２（ＳＭＰＴＥ  ＳＴ１２−２）の規格に従ったタイムコード信号を、フレーム周波数６０Ｈｚのタイムコード信号という。
【０１１９】
ここで、フレーム周波数１２０Ｈｚのタイムコード信号とフレーム周波数６０Ｈｚのタイムコード信号との関係について説明する。図１２は、これらのタイムコード信号の関係を説明する図である。図１２の上側に、フレーム周波数６０Ｈｚのタイムコード信号のタイミングを示し、下側に、フレーム周波数１２０Ｈｚのタイムコード信号のタイミングを示す。
【０１２０】
ＨＤ−ＳＤＩ信号の１フレーム分の時間（１／３０秒）において、フレーム周波数６０Ｈｚのタイムコード信号は、２フレームの映像信号のフレーム番号に対する信号（最初のＨＤ−ＳＤＩ信号ではフレーム番号０，１に対する信号、その次のＨＤ−ＳＤＩ信号ではフレーム番号２，３に対する信号）である。また、フレーム周波数１２０Ｈｚのタイムコード信号は、４フレームの映像信号のフレーム番号に対する信号（最初のＨＤ−ＳＤＩ信号ではフレーム番号０，１，２，３に対する信号、その次のＨＤ−ＳＤＩ信号では４，５，６，７に対する信号）に対する信号である。
【０１２１】
したがって、１秒間において、フレーム周波数６０Ｈｚのタイムコード信号の数は６０であり、これらのフレーム番号は０〜５９である。また、フレーム周波数１２０Ｈｚのタイムコード信号の数は１２０であり、これらのフレーム番号は０〜１１９である。
【０１２２】
図６に戻って、タイムコード生成部１５は、当該タイムコード送信装置１’の内部時計を用いて、図示しないフレーム周波数１２０Ｈｚの映像信号に同期したフレーム番号及び時刻を生成すると共に、フレーム周波数６０Ｈｚの映像信号に同期したフレーム番号及び時刻を生成する。そして、タイムコード生成部１５は、フレーム周波数１２０Ｈｚのフレーム番号及び時刻を含む時間情報のタイムコードを生成すると共に、フレーム周波数６０Ｈｚのフレーム番号及び時刻を含む時間情報のタイムコードを生成する。
【０１２３】
タイムコード生成部１５は、フレーム周波数１２０Ｈｚのタイムコードをタイムコード信号生成部１６に出力すると共に、フレーム周波数６０Ｈｚのタイムコードをタイムコード信号生成部１７に出力する。また、タイムコード生成部１５は、フレーム周波数１２０Ｈｚのタイムコード及びフレーム周波数６０Ｈｚのタイムコードを表示形式変換部１９に出力する。
【０１２４】
タイムコード信号生成部１６は、図２に示したタイムコード信号生成部１１と同様の処理を行う。すなわち、タイムコード信号生成部１６は、タイムコード生成部１５からフレーム周波数１２０Ｈｚのタイムコードを入力し、タイムコードからフレーム番号及び時刻を抽出する。そして、タイムコード信号生成部１６は、非特許文献５（ＳＭＰＴＥ  ＳＴ１２−３）の規格に従い、フレーム番号及び時刻のビットデータを所定領域に格納することで、フレーム周波数１２０Ｈｚのタイムコード信号を生成する。タイムコード信号生成部１６は、フレーム周波数１２０Ｈｚのタイムコード信号をＨＤ−ＳＤＩ信号生成部１８に出力する。
【０１２５】
これにより、フレーム周波数１２０Ｈｚの映像信号に同期したタイムコードを含み、非特許文献５（ＳＭＰＴＥ  ＳＴ１２−３）の規格に従ったタイムコード信号が生成され出力される。この場合、タイムコード信号のＳＤＩＤ領域には、非特許文献５（ＳＭＰＴＥ  ＳＴ１２−３）の規格に従ったタイムコード信号であることを識別するための１６１ｈが設定される。
【０１２６】
タイムコード信号生成部１７は、タイムコード生成部１５からフレーム周波数６０Ｈｚのタイムコードを入力し、タイムコードからフレーム番号及び時刻を抽出する。そして、タイムコード信号生成部１７は、非特許文献２（ＳＭＰＴＥ  ＳＴ１２−２）の規格に従い、フレーム番号及び時刻のビットデータを所定領域に格納することで、フレーム周波数６０Ｈｚのタイムコード信号を生成する。タイムコード信号生成部１７は、フレーム周波数６０Ｈｚのタイムコード信号をＨＤ−ＳＤＩ信号生成部１８に出力する。
【０１２７】
これにより、フレーム周波数６０Ｈｚの映像信号に同期したタイムコードを含み、非特許文献２（ＳＭＰＴＥ  ＳＴ１２−２）の規格に従ったタイムコード信号が生成され出力される。この場合、タイムコード信号のＳＤＩＤ領域には、非特許文献２（ＳＭＰＴＥ  ＳＴ１２−２）の規格に従ったタイムコード信号であることを識別するための２６０ｈが設定される。タイムコード信号生成部１６により生成されたタイムコード信号と、タイムコード信号生成部１７により生成されたタイムコード信号とは、ＳＤＩＤの値が異なる。したがって、タイムコード信号のＳＤＩＤにより、タイムコード信号がフレーム周波数１２０Ｈｚ用であるか、またはフレーム周波数６０Ｈｚ用であるかを識別することができる。
【０１２８】
ＨＤ−ＳＤＩ信号生成部１８は、タイムコード信号生成部１６からフレーム周波数１２０Ｈｚのタイムコード信号を入力すると共に、タイムコード信号生成部１７からフレーム周波数６０Ｈｚのタイムコード信号を入力する。
【０１２９】
ＨＤ−ＳＤＩ信号生成部１８は、フレーム周波数１２０Ｈｚのタイムコード信号を、ＨＤ−ＳＤＩ信号の補助データ領域における予め設定された第１のライン番号及びサンプル番号の領域に格納する。また、ＨＤ−ＳＤＩ信号生成部１８は、同じフレーム周波数１２０Ｈｚのタイムコード信号を、ＨＤ−ＳＤＩ信号の補助データ領域における予め設定された第２のライン番号及びサンプル番号の領域に重複して格納する。
【０１３０】
また、ＨＤ−ＳＤＩ信号生成部１８は、フレーム周波数６０Ｈｚのタイムコード信号を、ＨＤ−ＳＤＩ信号の補助データ領域における予め設定された第２のライン番号（フレーム周波数１２０のタイムコード信号が格納される同じ第２のライン番号）及びサンプル番号の領域に格納する。
【０１３１】
これにより、フレーム周波数１２０Ｈｚのタイムコード信号及びフレーム周波数１６０Ｈｚのタイムコード信号がＨＤ−ＳＤＩ信号に多重される。ＨＤ−ＳＤＩ信号生成部１８は、これらのタイムコード信号が多重されたＨＤ−ＳＤＩ信号を、映像信号送信装置２へ送信すると共に、タイムコード受信装置４へ送信する。
【０１３２】
図１３は、タイムコード送信装置１’において、ＨＤ−ＳＤＩ信号に多重される２種類のタイムコード信号（フレーム周波数１２０Ｈｚのタイムコード信号及びフレーム周波数１６０Ｈｚのタイムコード信号）の位置の一例を示す図である。前述の図１２に示したとおり、ＨＤ−ＳＤＩ信号の１フレーム分の時間（１／３０秒）において、フレーム周波数１２０Ｈｚのタイムコード信号は、４個のフレームのフレーム番号に対応してＨＤ−ＳＤＩ信号に格納される。また、フレーム周波数６０Ｈｚのタイムコード信号は、２個のフレーム番号に対応して格納される。つまり、ＨＤ−ＳＤＩ信号の１フレームには、フレーム周波数１２０Ｈｚの４個のタイムコード信号が多重され、フレーム周波数６０Ｈｚの２個のタイムコード信号が多重される。
【０１３３】
図１３に示すように、フレーム周波数１２０Ｈｚのフレーム番号０，１，２，３のタイムコード信号は、ＨＤ−ＳＤＩ信号のライン番号２，２８３，５６４，８４５及びサンプル番号１９２８〜１９５０の領域にそれぞれ格納される。また、同じタイムコード信号は、ＨＤ−ＳＤＩ信号のライン番号９，２９０，５７１，８５２及びサンプル番号１９２８〜１９５０の領域にそれぞれ格納される。また、フレーム周波数６０Ｈｚのフレーム番号０，１のタイムコード信号は、ＨＤ−ＳＤＩ信号のライン番号９，５７１及びサンプル番号１９５１〜１９７３の領域にそれぞれ格納される。
【０１３４】
尚、図１３では、ライン番号９，５７１において、フレーム周波数１２０Ｈｚ，６０Ｈｚのタイムコード信号の格納位置を、サンプル番号１９２８（ＣＲＣＣの直後のサンプル番号）から４６ワード長としているが、補助データ領域内にタイムコード信号が格納されるのであれば、格納開始位置はどこでもよい。また、ライン番号２，２８３，２９０，５６４，８４５，８５２において、フレーム周波数１２０Ｈｚのタイムコード信号の格納位置を、サンプル番号１９２８（ＣＲＣＣの直後のサンプル番号）から２３ワード長としているが、補助データ領域内にタイムコード信号が格納されるのであれば、格納開始位置はどこでもよい。
【０１３５】
したがって、ＨＤ−ＳＤＩ信号生成部１８がフレーム周波数１２０Ｈｚのタイムコード信号を多重するＨＤ−ＳＤＩ信号の位置である予め設定されたライン番号は、２，９，２８３，２９０，５６４，５７１，８４５，８５２である。また、ＨＤ−ＳＤＩ信号生成部１８がフレーム周波数６０Ｈｚのタイムコード信号を多重するＨＤ−ＳＤＩ信号の位置である予め設定されたライン番号は、９，５７１である。
【０１３６】
フレーム周波数１２０Ｈｚのタイムコード信号がＨＤ−ＳＤＩ信号のライン番号２，２８３，５６４，８４５に格納されることで、ＨＤ−ＳＤＩ信号を、図３に示した映像信号送信装置２へ送信して映像信号に多重させることができる。図３に示した映像信号送信装置２により、ＨＤ−ＳＤＩ信号内のライン番号２，２８３，５６４，８４５に格納されたタイムコード信号が取り出されるからである。つまり、当該タイムコード送信装置１’は、図１に示した映像信号送受信システムに適用することができる。
【０１３７】
また、フレーム周波数１２０Ｈｚのタイムコード信号がＨＤ−ＳＤＩ信号のライン番号９，２９０，５７１，８５２に格納されることで、後述する図７に示すように、ＨＤ−ＳＤＩ信号を当該タイムコード送信装置１’から図５に示したタイムコード受信装置４へ直接送信することができる。図５に示したタイムコード受信装置４により、ＨＤ−ＳＤＩ信号内のライン番号９，２９０，５７１，８５２に格納されたタイムコード信号が取り出されるからである。つまり、当該タイムコード送信装置１’は、後述する図７に示すタイムコード送受信システムに適用することができる。
【０１３８】
つまり、図６に示したタイムコード送信装置１’は、図１に示した映像信号送受信システム、及び後述する図７に示すタイムコード送受信システムの両方に適用することができる。
【０１３９】
図６に戻って、表示形式変換部１９は、タイムコード生成部１５からフレーム周波数１２０Ｈｚのタイムコード及びフレーム周波数６０Ｈｚのタイムコードを入力し、それぞれのタイムコードからフレーム番号及び時刻を抽出する。そして、表示形式変換部１９は、フレーム周波数１２０Ｈｚのフレーム番号及び時刻、並びにフレーム周波数６０Ｈｚのフレーム番号及び時刻を表示データにそれぞれ変換し、これらの表示データを表示部５０に出力する。
【０１４０】
表示部５０は、表示形式変換部１９からフレーム周波数１２０Ｈｚの表示データ及びフレーム周波数６０Ｈｚの表示データを入力し、これらの表示データを表示する。これにより、フレーム周波数１２０Ｈｚのフレーム番号及び時刻、並びにフレーム周波数６０Ｈｚのフレーム番号及び時刻が画面等に表示される。
【０１４１】
以上のように、本発明の実施形態におけるタイムコード送信装置１’によれば、ＨＤ−ＳＤＩ信号生成部１８は、フレーム周波数１２０Ｈｚのタイムコード信号を、ＨＤ−ＳＤＩ信号の予め設定されたライン番号２，２８３，５６４，８４５の領域に多重する。また、ＨＤ−ＳＤＩ信号生成部１８は、同じフレーム周波数１２０Ｈｚのタイムコード信号を、ＨＤ−ＳＤＩ信号の予め設定されたライン番号９，２９０，５７１，８５２の領域に重複して多重する。また、ＨＤ−ＳＤＩ信号生成部１８は、フレーム周波数６０Ｈｚのタイムコード信号を、ＨＤ−ＳＤＩ信号の予め設定されたライン番号９，２９０，５７１，８５２の領域に多重する。そして、ＨＤ−ＳＤＩ信号生成部１８は、ＨＤ−ＳＤＩ信号を映像信号送信装置２へ送信すると共に、タイムコード受信装置４へ送信する。
【０１４２】
これにより、映像信号送信装置２は、図１に示した映像信号送受信システムと同様に、ＨＤ−ＳＤＩ信号の予め設定されたライン番号２，２８３，５６４，８４５の領域からフレーム周波数１２０Ｈｚのタイムコード信号を取り出することができる。そして、映像信号送信装置２は、このタイムコード信号を、フレーム周波数１２０Ｈｚの映像信号に多重して映像信号受信装置３へ送信することができる。
【０１４３】
また、タイムコード受信装置４は、映像信号受信装置３またはタイムコード送信装置１’からＨＤ−ＳＤＩ信号を受信する。タイムコード受信装置４は、図１に示した映像信号送受信システムと同様に、ＨＤ−ＳＤＩ信号の予め設定されたライン番号９，２９０，５７１，８５２の領域からフレーム周波数１２０Ｈｚのタイムコード信号を取り出すことができる。
【０１４４】
したがって、フレーム周波数６０Ｈｚを超える映像信号に適用するタイムコード信号を伝送することができる。
【０１４５】
〔タイムコード送受信システム〕
次に、タイムコード送受信システムについて説明する。前記実施形態では、タイムコード信号を多重した映像信号を送受信する映像信号送受信システムの例を示した。このタイムコード送受信システムは、タイムコード信号を多重したＨＤ−ＳＤＩ信号を送受信する例である。
【０１４６】
図７は、タイムコード送信装置及びタイムコード受信装置を含むタイムコード送受信システムの全体構成例を示す概略図である。このタイムコード送受信システムは、タイムコード送信装置１’及びタイムコード受信装置４を備えて構成される。
【０１４７】
タイムコード送信装置１’は、図６に示した構成例と同じ構成部を備え、同じ処理を行う。タイムコード受信装置４は、図５に示した構成例と同じ構成部を備え、同じ処理を行う。
【０１４８】
尚、タイムコード送信装置１’は、図６に示した構成例と同じ構成部を備え、タイムコード生成部１５、タイムコード信号生成部１６、タイムコード信号生成部１７、表示形式変換部１９及び表示部５０が同じ処理を行い、ＨＤ−ＳＤＩ信号生成部１８が異なる処理を行うようにしてもよい。
【０１４９】
この場合のタイムコード送信装置１’のＨＤ−ＳＤＩ信号生成部１８は、タイムコード信号生成部１６からフレーム周波数１２０Ｈｚのタイムコード信号を入力すると共に、タイムコード信号生成部１７からフレーム周波数６０Ｈｚのタイムコード信号を入力する。そして、ＨＤ−ＳＤＩ信号生成部１８は、これらのタイムコード信号を、ＨＤ−ＳＤＩ信号の補助データ領域内における予め設定されたライン番号及びサンプル番号の領域にそれぞれ格納する。これにより、フレーム周波数１２０Ｈｚのタイムコード信号及びフレーム周波数１６０Ｈｚのタイムコード信号がＨＤ−ＳＤＩ信号に多重される。ＨＤ−ＳＤＩ信号生成部１８は、これらのタイムコード信号が多重されたＨＤ−ＳＤＩ信号をタイムコード受信装置４へ送信する。
【０１５０】
図１４は、タイムコード送信装置１’において、ＨＤ−ＳＤＩ信号に多重される２種類のタイムコード信号の位置の他の例を示す図である。ＨＤ−ＳＤＩ信号の１フレームには、フレーム周波数１２０Ｈｚの４個のタイムコード信号が多重され、フレーム周波数６０Ｈｚの２個のタイムコード信号が多重される。
【０１５１】
図１４に示すように、フレーム周波数１２０Ｈｚのフレーム番号０，１，２，３のタイムコード信号は、ＨＤ−ＳＤＩ信号のライン番号９，２９０，５７１，８５２及びサンプル番号１９２８〜１９５０の領域にそれぞれ格納される。また、フレーム周波数６０Ｈｚのフレーム番号０，１のタイムコード信号は、ＨＤ−ＳＤＩ信号のライン番号９，５７１及びサンプル番号１９５１〜１９７３の領域にそれぞれ格納される。
【０１５２】
尚、図１４では、ライン番号９，５７１において、フレーム周波数１２０Ｈｚ，６０Ｈｚのタイムコード信号の格納位置を、サンプル番号１９２８（ＣＲＣＣの直後のサンプル番号）から４６ワード長としているが、補助データ領域内にタイムコード信号が格納されるのであれば、格納開始位置はどこでもよい。また、ライン番号２９０，８５２において、フレーム周波数１２０Ｈｚのタイムコード信号の格納位置を、サンプル番号１９２８（ＣＲＣＣの直後のサンプル番号）から２３ワード長としているが、補助データ領域内にタイムコード信号が格納されるのであれば、格納開始位置はどこでもよい。
【０１５３】
したがって、ＨＤ−ＳＤＩ信号生成部１８がこれらのタイムコード信号を多重するＨＤ−ＳＤＩ信号内の位置である予め設定されたライン番号は、９，２９０，５７１，８５２である。
【０１５４】
以上のように、本発明の実施形態のタイムコード送信装置１’（図７に示したタイムコード送信装置１’）によれば、ＨＤ−ＳＤＩ信号生成部１８は、フレーム周波数１２０Ｈｚのタイムコード信号を、ＨＤ−ＳＤＩ信号の予め設定されたライン番号９，２９０，５７１，８５２の領域に多重する。また、ＨＤ−ＳＤＩ信号生成部１８は、フレーム周波数６０Ｈｚのタイムコード信号を、ＨＤ−ＳＤＩ信号の予め設定されたライン番号９，５７１の領域に多重する。そして、ＨＤ−ＳＤＩ信号生成部１８は、ＨＤ−ＳＤＩ信号を生成してタイムコード受信装置４へ送信する。
【０１５５】
これにより、タイムコード受信装置４は、タイムコード送信装置１’からＨＤ−ＳＤＩ信号を直接受信することで、ＨＤ−ＳＤＩ信号内の予め設定されたライン番号９，２９０，５７１，８５２の領域からフレーム周波数１２０Ｈｚのタイムコード信号を取り出すことができる。つまり、タイムコード送信装置１’から送信されたＨＤ−ＳＤＩ信号を直接受信可能な装置として、図１に示した映像信号送受信システムに用いる図５のタイムコード受信装置４をそのまま用いることができる。
【０１５６】
したがって、フレーム周波数６０Ｈｚを超える映像信号に適用するタイムコード信号を伝送することができる。
【０１５７】
以上、実施形態を挙げて本発明を説明したが、本発明は前記実施形態に限定されるものではなく、その技術思想を逸脱しない範囲で種々変形可能である。例えば前記実施形態では、図９に示したように、タイムコード送信装置１は、タイムコード信号を、ＨＤ−ＳＤＩ信号のライン番号２，２８３，５６４，８４５の領域に格納するようにしたが、他のライン番号の領域に格納するようにしてもよい。要するに、タイムコード信号の多重位置は、映像信号のライン番号９を基準とした場合、これに対応するＨＤ−ＳＤＩ信号のライン番号２．２５等よりも早い番号であればよい。映像信号のライン番号の基準が９以外の場合（タイムコード信号が格納され得る、有効映像領域よりも早いライン番号１〜４１の場合）についても、これに対応するＨＤ−ＳＤＩ信号のライン番号よりも早い番号であればよい。
【０１５８】
また、図１０に示したように、映像信号送信装置２は、ＨＤ−ＳＤＩ信号から取り出したタイムコード信号を、映像信号のライン番号９の領域に格納するようにしたが、有効映像領域よりも早いライン番号１〜４１のいずれかの領域に格納するようにしてもよい。この場合、タイムコード送信装置１は、タイムコード信号を、当該映像信号のライン番号に対応するＨＤ−ＳＤＩ信号のライン番号よりも早いライン番号に格納する。
【０１５９】
また、図１１に示したように、映像信号受信装置３は、映像信号から取り出したタイムコード信号を、ＨＤ−ＳＤＩ信号のライン番号９，２９０，５７１，８５２に格納するようにしたが、他のライン番号の領域に格納するようにしてもよい。要するに、タイムコード信号の多重位置は、映像信号のライン番号９を基準とした場合、これに対応するＨＤ−ＳＤＩ信号の２．２５等よりも遅い番号であればよい。映像信号のライン番号の基準が９以外の場合（タイムコード信号が格納され得る、有効映像領域よりも早いライン番号１〜４１の場合）についても、これに対応するＨＤ−ＳＤＩ信号のライン番号よりも遅い番号であればよい。
【０１６０】
また、図１３及び図１４に示したように、タイムコード送信装置１’は、２種類のタイムコード信号を、ＨＤ−ＳＤＩ信号のライン番号９，２９０，５７１，８５２の領域に格納するようにしたが、他のライン番号の領域に格納するようにしてもよい。
【０１６１】
また、前記実施形態では、フレーム周波数１２０Ｈｚ，６０Ｈｚの場合を例に挙げて説明したが、本発明は、フレーム周波数１２０Ｈｚ，６０Ｈｚの場合だけでなく、他の周波数、例えばフレーム周波数１００Ｈｚ，５０Ｈｚの場合にも適用がある。
【符号の説明】
【０１６２】
１，１’  タイムコード送信装置
２  映像信号送信装置
３  映像信号受信装置
４  タイムコード受信装置
１０，１５  タイムコード生成部
１１，１６，１７  タイムコード信号生成部
１２，１８，３５  ＨＤ−ＳＤＩ信号生成部
１３，１９，４２  表示形式変換部
４３，５０  表示部
２０  サブイメージ生成部
２１  ベーシックイメージ生成部
２２，３４，４０  タイムコード信号取り出し部
２３  ベーシックストリーム生成部
２４  リンク信号生成部
３０  ベーシックストリーム復元部
３１  ベーシックイメージ復元部
３２  サブイメージ復元部
３３  ソースイメージ復元部
４１  タイムコード復元部
【図１】
0006717670.tif 000002
【図２】
0006717670.tif 000003
【図３】
0006717670.tif 000004
【図４】
0006717670.tif 000005
【図５】
0006717670.tif 000006
【図６】
0006717670.tif 000007
【図７】
0006717670.tif 000008
【図８】
0006717670.tif 000009
【図９】
0006717670.tif 000010
【図１０】
0006717670.tif 000011
【図１１】
0006717670.tif 000012
【図１２】
0006717670.tif 000013
【図１３】
0006717670.tif 000014
【図１４】
0006717670.tif 000015
【図１５】
0006717670.tif 000016
【図１６】
0006717670.tif 000017
【図１７】
0006717670.tif 000018
【図１８】
0006717670.tif 000019